(57)【要約】      （修正有）【課題】使用上の利便性や作業効率を向上させる歯科診療装置を提供する。【解決手段】歯科診療装置１００は、歯科診療用椅子２と、口腔内スキャナーと、両端のある長尺状となって、力を受けると形状が変わるように、歯科診療用椅子２に配置構成されているとともに、両端が、歯科診療用椅子２に連接されている第１の端３０１及び第１の端３０１に対して移動することができる第２の端３０２とを含む支持機構３と、支持機構３の第２の端３０２に装着されているとともに、口腔内スキャナーと通信可能に接続されていて口腔内スキャナーがスキャンした画像を表示することができる表示ユニット４と、を備えている。【選択図】図２
0003234525.tif 000002
【実用新案登録請求の範囲】
【請求項１】
歯科診療用椅子と、
口腔内スキャナーと、
両端のある長尺状となって、力を受けると形状が変わるように、前記歯科診療用椅子に配置構成されているとともに、前記両端が、前記歯科診療用椅子に連接されている第１の端及び前記第１の端に対して移動することができる第２の端となされる支持機構と、
前記支持機構の前記第２の端に装着されて支持されているとともに、前記口腔内スキャナーと通信可能に接続されていて前記口腔内スキャナーがスキャンした画像を表示することができる表示ユニットと、を備えている、
ことを特徴とする歯科診療装置。
【請求項２】
前記歯科診療用椅子は、患者が着座する着座部と、前記着座部に着座している患者が寄りかかるレスト部と、を有しており、
前記支持機構の前記第１の端は、前記レスト部におけるいずれか一箇所に連接されている、
ことを特徴とする請求項１に記載の歯科診療装置。
【請求項３】
前記レスト部は、前記着座部と枢接していて前記着座部に対して起倒することができるバックレストと、前記バックレストに連接されている支持アームと、前記支持アームにより支持されているヘッドレストと、を有しており、
前記支持機構の前記第１の端は、前記支持アームに連接されている、
ことを特徴とする請求項２に記載の歯科診療装置。
【請求項４】
前記支持機構は、数珠繋ぎ状の複数のボールジョイントから構成されているものであり、
また、隣り合う前記ボールジョイント同士は、力を受けると互いに揺動することができるように構成されている、
ことを特徴とする請求項１〜３のいずれか一項に記載の歯科診療装置。
【請求項５】
前記支持機構は、フレキシブルパイプである、
ことを特徴とする請求項１〜３のいずれか一項に記載の歯科診療装置。
【請求項６】
前記歯科診療用椅子は、前記支持機構の前記第１の端と連接するために突出している第１の連接部を更に有している、
ことを特徴とする請求項４に記載の歯科診療装置。
【請求項７】
前記第１の連接部は、ボールヘッドであり、
また、前記第１の端となされる前記ボールジョイントは、ボールヘッドとなった前記第１の連接部と揺動可能に嵌合することができるように構成されている、
ことを特徴とする請求項６に記載の歯科診療装置。
【請求項８】
前記表示ユニットは、ケースと、前記ケースにはめ込まれているとともに前記画像を表示するためのディスプレイと、前記支持機構の前記第２の端に着脱可能に連接されている第２の連接部と、を有している、
ことを特徴とする請求項１〜７のいずれか一項に記載の歯科診療装置。
【請求項９】
前記第２の連接部は、前記ケースから突出しているボールヘッドであり、
また、前記第２の端となされる前記ボールジョイントは、ボールヘッドとなった前記第２の連接部と揺動可能に嵌合することができるように構成されている、
ことを特徴とする請求項８に記載の歯科診療装置。
【請求項１０】
前記第２の連接部は、前記ケースを挟持することができる挟持部となっている、
ことを特徴とする請求項８に記載の歯科診療装置。
【請求項１１】
前記ディスプレイは、タッチパネル付きディスプレイである、
ことを特徴とする請求項８〜１０のいずれか一項に記載の歯科診療装置。
【考案の詳細な説明】
【技術分野】
【０００１】
本考案は歯科用設備に関し、具体的には、補助表示機能を有する歯科診療装置に関する。
【背景技術】
【０００２】
図１を参照して従来の歯科診療装置の使用状態を説明する。ここで、図１は従来の歯科診療装置の使用状態が示される模式図である。
【０００３】
従来の歯科診療装置は、図１に示されるように、口腔内スキャナー１１と、口腔内スキャナー１１と通信可能に接続されている表示ユニット１２と、を備えている。
【０００４】
口腔内スキャナー１１は、小型カメラで患者Ａ２の口腔内を撮影し、その口腔に関連するデータはコンピュータにより処理され、立体画像として表示ユニット１２により表示される。
【０００５】
表示ユニット１２は、図１に示されるように、口腔内スキャナー１１が撮った画像を表示するためのディスプレイと、ディスプレイを支持且つ移動するための支持機構と、を有している。
【０００６】
図１に示されるように、診療時に、表示ユニット１２を歯科医師Ａ１の前方又は歯科診療用椅子の側方近傍に配置して、歯科医師Ａ１は口腔内スキャナー１１を操作しながら、表示ユニット１２により該口腔内スキャナー１１が撮影した画像を観察することができる。
【考案の概要】
【考案が解決しようとする課題】
【０００７】
しかしながら、従来の歯科診療装置の使用方式によれば、表示ユニット１２を歯科医師の前方に配置しても歯科診療用椅子の側方近傍に配置しても、歯科医師が該表示ユニット１２に表示された画像を観察するために頭を動かす必要があるため、歯科医師にとって不便であるとともに、診療効率に悪影響を及ぼす恐れがある。また、長期にわたると歯科医師の疲労や筋肉痛をもたらす可能性もある。このため、従来の歯科診療装置の構成を改善する余地がある。
【０００８】
よって、本考案は上記問題点に鑑みて、上記欠点を解決できる歯科診療装置を提供することを目的とする。
【課題を解決するための手段】
【０００９】
上記目的を達成すべく、本考案は以下の歯科診療装置を提供する。
【００１０】
即ち、歯科診療用椅子と、
口腔内スキャナーと、
両端のある長尺状となって、力を受けると形状が変わるように、前記歯科診療用椅子に配置構成されているとともに、前記両端が、前記歯科診療用椅子に連接されている第１の端及び前記第１の端に対して移動することができる第２の端となされる支持機構と、
前記支持機構の前記第２の端に装着されて支持されているとともに、前記口腔内スキャナーと通信可能に接続されていて前記口腔内スキャナーがスキャンした画像を表示することができる表示ユニットと、を備えていることを特徴とする歯科診療装置を提供する。
【考案の効果】
【００１１】
上記構成により、本考案に係る歯科診療装置は、支持機構により表示ユニットを歯科診療用椅子と連接するように配置し、且つ該支持機構における第１の端及び第２の端の相対位置を調整することができるので、表示ユニットを患者の口腔に近づけるように位置させれば、表示ユニットと患者の口腔との両方を同一視線で見ることができる。
【００１２】
よって、歯科医師が従来のように頭を動かす必要がないので、使用上の利便性や診療効率を飛躍的に向上させることができるだけではなく、それによる健康障害を防止することもできる。
【図面の簡単な説明】
【００１３】
【図１】従来の歯科診療装置の使用状態が示される模式図である。
【図２】本考案の第１の実施形態に係る歯科診療装置の構成が示される一部斜視図である。
【図３】該第１の実施形態の歯科診療装置の使用状態が示される模式図である。
【図４】該第１の実施形態の歯科診療装置の他の使用状態が示される模式図である。
【図５】本考案の第２の実施形態に係る歯科診療装置の構成が示される一部斜視図である。
【図６】本考案の第３の実施形態に係る歯科診療装置の構成が示される一部斜視図である。
【考案を実施するための形態】
【００１４】
以下、本考案に係る歯科診療装置１００について図面を参照して説明する。
【００１５】
（第１の実施形態）
図２〜図４を参照して本考案の第１の実施形態に係る歯科診療装置１００の構成及び使用状態を説明する。ここで、図２は本考案の第１の実施形態に係る歯科診療装置１００の構成が示される一部斜視図であるであり、図３は該第１の実施形態の歯科診療装置１００の使用状態が示される模式図であり、また、図４は該第１の実施形態の歯科診療装置１００の他の使用状態が示される模式図である。
【００１６】
本考案に係る第１の実施形態の歯科診療装置１００は、図２及び図３に示されるように、歯科診療用椅子２と、口腔内スキャナー５と、支持機構３と、表示ユニット４と、を備えている。
【００１７】
歯科診療用椅子２は、図２及び図３に示されるように、患者が着座する着座部２２と、レスト部２１と、第１の連接部２３と、を有している起倒可能な椅子である。
【００１８】
なお、図２に示されるように、前後方向Ｌ１は起立状態のレスト部２１が面する方向である一方、左右方向Ｌ２は上記の前後方向Ｌ１と略直交している方向である。
【００１９】
レスト部２１は、図２及び図３に示されるように、着座部２２に起倒可能に配置されているとともに、着座部２２に着座している患者が寄りかかるものであり、且つ、着座部２２と枢接していて着座部２２に対して起倒することができるバックレスト２１２と、バックレスト２１２に連接されている支持アーム２１３と、支持アーム２１３により支持されているヘッドレスト２１１と、を有している。
【００２０】
第１の連接部２３は、図２に示されるように、レスト部２１の支持アーム２１３のいずれか一側面から左右方向Ｌ２に沿って突出しているボールヘッドである。後述するように、該第１の連接部２３は、支持機構３の第１の端３０１と連接するためのものである。
【００２１】
口腔内スキャナー５は、図３に示されるように、歯科医師Ｂ１の操作により患者Ｂ２の歯を撮影するためのものである。ここで、該口腔内スキャナー５の構成や作動原理は、本考案の特徴ではないので、更なる詳細な記載がなくても、同業者であれば、本考案の内容に基づいて利用できると考えられる。
【００２２】
支持機構３は、図２に示されるように、両端のある長尺状となって、力を受けると形状が変わるように、歯科診療用椅子２におけるレスト部２１の支持アーム２１３に配置構成されているものである。また、支持機構３の上記両端は、図２に示されるように、歯科診療用椅子２における支持アーム２１３の一側面に連接されている第１の端３０１、及び、第１の端３０１に対して移動することができる第２の端３０２となされる。なお、本実施形態では、支持機構３は、第１の端３０１がレスト部２１の支持アーム２１３と連接するように配置されているが、それに限定されず、他の実施形態において第１の端３０１がレスト部２１における他の箇所に連接されてもよい。
【００２３】
また、該支持機構３は、図２に示されるように、数珠繋ぎ状になっている複数のボールジョイント３１から構成されているものである。また、隣り合うボールジョイント３１同士は、力を受けると互いに揺動することができる。更に、図２に示されるように、第１の端３０１となされるボールジョイント３１は、ボールヘッドとなった第１の連接部２３と揺動可能に嵌合している。
【００２４】
より具体的に言うと、第２の端３０２となされるボールジョイント３１以外の各ボールジョイント３１は、内部に収容空間を画成しているハウジングと、隣り合うボールジョイント３１のハウジング内に揺動可能に嵌入されているボールヘッドと、を有している。
【００２５】
また、ハウジングの開口の直径がボールヘッドの直径より小さく構成されて、ボールヘッドが隣り合うボールジョイント３１のハウジングから脱出しないように嵌入され得る。それによって、当該複数のボールジョイント３１は、互いに連結されて長尺状となるように構成されている。
【００２６】
表示ユニット４は、図２〜図４に示されるように、支持機構３の第２の端３０２に装着されて支持されているとともに、口腔内スキャナー５と通信可能に接続されていて口腔内スキャナー５がスキャンした画像（動画、静止画を含む）を表示することができるものであり、且つ、ケース４１と、ディスプレイ４２と、第２の連接部４３と、を有している。
【００２７】
ディスプレイ４２は、図２〜図４に示されるように、ケース４１にはめ込まれているとともに口腔内スキャナー５が撮った画像を表示するためのものである。
【００２８】
なお、本実施形態では、該ディスプレイ４２は、タッチパネル付きディスプレイである。したがって、歯科医師Ｂ１が手で触れることにより当該画像を容易に調整することができ、該歯科診療装置１００の使用上の利便性を一層向上させることができる。勿論、ここでそれに限定されず、画像を表示できるディスプレイであればよい。
【００２９】
第２の連接部４３は、図２に示されるように、ケース４１から突出しているとともに、支持機構３の第２の端３０２に着脱可能に連接されているボールヘッドである。また、図２に示されるように、支持機構３の第２の端３０２となされるボールジョイント３１は、ボールヘッドとなった第２の連接部４３と揺動可能に嵌合している。具体的に、当該第２の端３０２となされるボールジョイント３１は、図２に示されるように、両側にもハウジングを構成することによって、ケース４１から突出した第２の連接部４３と、隣り合うボールジョイント３１のボールヘッドとの両方をはめ込むことができるように構成されている。
【００３０】
以下、本考案に係る第１の実施形態の歯科診療装置１００の利点について説明する。
【００３１】
形状が変わる支持機構３により、表示ユニット４を患者Ｂ２の口腔に近づくように移動すると、図３及び図４に示されるように、歯科医師Ｂ１が同一視線で表示ユニット４と患者Ｂ２の口腔との両方を見ることができる。
【００３２】
また、表示ユニット４のケース４１から突出したボールヘッドの第２の連接部４３により、表示ユニット４が支持機構３の第２の端３０２に対して揺動できるので、優れた表示ユニット４の移動操作性を具える。
【００３３】
それによって、図３及び図４に示されるように、歯科医師Ｂ１は、口腔内スキャナー５を用いて、どんな方向でも表示ユニット４と患者Ｂ２の口腔とを同一視線で見られる状態で患者Ｂ２の口腔撮影を行なうことができる。即ち、本実施形態の歯科診療装置１００は、歯科医師Ｂ１の位置や習慣に従って調整することができるため、使用上の利便性を飛躍的に向上させることができる。
【００３４】
（第２の実施形態）
図５を参照して本考案の第２の実施形態に係る歯科診療装置１００の構成を説明する。ここで、図５は本考案の第２の実施形態に係る歯科診療装置１００の構成が示される一部斜視図である。
【００３５】
本考案に係る歯科診療装置１００の第２の実施形態は、第１の実施形態と多くの構成が共通する。本実施形態の歯科診療装置１００において、図５に示されるように、支持機構３は、力を受けると形状が変わるフレキシブルパイプである。このような構成によっても、第１の実施形態の歯科診療装置１００と同様な効果を得ることができる。
【００３６】
なお、本実施形態では、支持機構３の第１の端３０１は、第１の実施形態のような、レスト部２１の支持アーム２１３の側面に連接されるもの（図２を参照）ではなく、図５に示されるような支持アーム２１３の上面に連接され得るものである。それによって、第１の連接部２３の設置は、支持アーム２１３の厚さに対して影響を与えないので、支持アーム２１３の厚さを薄くすることができる。このため、歯科診療用椅子２に係る製造コストの削減や組み立ての利便性を得ることができる。
【００３７】
（第３の実施形態）
図６を参照して本考案の第３の実施形態に係る歯科診療装置１００の構成を説明する。ここで、図６は本考案の第３の実施形態に係る歯科診療装置１００の構成が示される一部斜視図である。
【００３８】
本考案に係る歯科診療装置１００の第３の実施形態は、第１、２の実施形態と多くの構成が共通する。本実施形態の歯科診療装置１００において、図６に示されるように、第２の連接部４３は、表示ユニット４のケース４１を挟持することができる挟持部４３２となっている。このような構成によっても、第１、２の実施形態の歯科診療装置１００と同様な効果を得ることができる。
【００３９】
特に、本考案に係る第２の連接部４３は、上記したような、ボールヘッド（第１、２の実施形態）または挟持部４３２（第３の実施形態）となったものに限定されず、他の実施形態において、例えばマグネット、ラッチ、ユニバーサルジョイントといった連接手段を採用してもよい。
【００４０】
総括すると、本考案に係る歯科診療装置１００は、支持機構３により表示ユニット４が歯科診療用椅子２と連接するように配置され、且つ該支持機構３における第１の端３０１及び第２の端３０２の相対位置を調整することができるので、表示ユニット４を患者Ｂ２の口腔に近づくように位置させれば、表示ユニット４と患者Ｂ２の口腔との両方を同一視線で見ることができる。
【００４１】
よって、歯科医師Ｂ１が従来のように頭を動かす必要がないので、使用上の利便性や診療効率を飛躍的に向上させることができるだけではなく、それによる健康障害を防止することもできる。
【００４２】
上記実施形態のように、本考案は、その要旨を逸脱しない範囲で種々の変更が可能である。
【産業上の利用可能性】
【００４３】
上記のように構成された歯科診療装置は、使用上の利便性や診療効率を飛躍的に向上させることができるため、本考案は産業上の利用可能性がある。
【符号の説明】
【００４４】
１１  口腔内スキャナー
１２  表示ユニット
Ａ１  歯科医師
Ａ２  患者
１００  歯科診療装置
２  歯科診療用椅子
２１  レスト部
２１１  ヘッドレスト
２１２  バックレスト
２１３  支持アーム
２２  着座部
２３  第１の連接部
３  支持機構
３１  ボールジョイント
３０１  第１の端
３０２  第２の端
４  表示ユニット
４１  ケース
４２  ディスプレイ
４３  第２の連接部
４３２  挟持部
５  口腔内スキャナー
Ｌ１  前後方向
Ｌ２  左右方向
Ｂ１  歯科医師
Ｂ２  患者
【図１】
0003234525.tif 000003
【図２】
0003234525.tif 000004
【図３】
0003234525.tif 000005
【図４】
0003234525.tif 000006
【図５】
0003234525.tif 000007
【図６】
0003234525.tif 000008